(57)【要約】      （修正有）【課題】棚の後側からの作業のみで棚板の傾斜角度を変えることのできるショーケースを提供する。【解決手段】後面が開口したケース本体を備え、ケース本体内に、前後方向に延在する左右一対の棚板支持部材４と、後部が上下移動可能に棚板支持部材４の間に架け渡されている棚板５と、棚板５の後部及び棚板支持部材４の間に配設されている角度調整部材２０と、を備え、棚板５は、第一支持状態と、棚板５の後部が第一支持状態よりも低い位置となる第二支持状態とに移動可能であり、角度調整部材２０は、棚板５及び棚板支持部材４の何れか一方に配設され、棚板５に対して回転することによって第一位置と第二位置とに移動し、角度調整部材２０が、第一位置に移動した場合に角度調整部材２０の棚板当接部２３が棚板５の後部に当接することにより棚板５が第一支持状態に維持され、第二位置に移動した場合に棚板５が第二支持状態となる。【選択図】図３
2019000388.tif 000002
【特許請求の範囲】
【請求項１】
後面が開口したケース本体を備え、
前記ケース本体内に、前後方向に延在する左右一対の棚板支持部材と、後部が上下移動
可能に前記棚板支持部材の間に架け渡されている棚板と、前記棚板の後部及び前記棚板支
持部材の間に配設されている角度調整部材と、を備えているショーケースであって、
前記棚板は、第一支持状態と、前記棚板の後部が前記第一支持状態よりも低い位置とな
る第二支持状態とに移動可能であり、
前記角度調整部材は、前記棚板及び前記棚板支持部材の何れか一方に配設され、前記棚
板に対して回転することによって第一位置と第二位置とに移動し、
前記角度調整部材が、前記第一位置に移動した場合に前記角度調整部材の棚板当接部が
前記棚板の後部に当接することにより前記棚板が前記第一支持状態に維持され、前記第二
位置に移動した場合に前記棚板が前記第二支持状態となることを特徴とするショーケース
。
【請求項２】
前記角度調整部材は、前記左右一対の棚板支持部材と前記棚板との間にそれぞれ設けら
れ、操作部によって連結されていることを特徴とする請求項１に記載のショーケース。
【請求項３】
第二角度調整部材を備え、
前記棚板は、前記棚板の後部が、前記第一支持状態よりも低く、前記第二支持状態より
も高い位置にある第三支持状態に移動可能であり、
前記第二角度調整部材は、前記棚板か前記棚板支持部材の何れか一方に配設され、前記
棚板に対して回転することによって第三位置と第四位置とに移動し、
前記第二角度調整部材が前記第三位置に移動した場合に前記第二角度調整部材の棚板当
接部が前記棚板の後部に当接することにより前記棚板は前記第三支持状態に維持され、前
記第二角度調整部材が前記第四位置に移動した場合に前記棚板は前記第一支持状態もしく
は前記第二支持状態となることを特徴とする請求項１に記載のショーケース。
【発明の詳細な説明】
【技術分野】
【０００１】
本発明は、棚板の傾斜角度を変えることができるショーケースに関するものである。
【背景技術】
【０００２】
従来、棚板の後側の高さ位置を変えることで、棚板の傾斜角度を変更できるショーケー
スがある。このショーケースにおける棚板の支持構造は、支柱と、支柱から前方に突出す
る棚板支持部と、前方を棚板支持部に支持させ、後方を支柱に支持させた棚板と、から構
成されている。支柱には、上下に並んだ複数の係合孔が形成されており、この係合孔に棚
板の後側から突出する突片が挿入されている。この支持構造では、突片を挿入する係合孔
を上下に変更することにより棚板の傾斜角度を変えることができる（例えば、特許文献１
参照）。
【先行技術文献】
【特許文献】
【０００３】
【特許文献１】実開平６−６６４２３号公報
【発明の概要】
【発明が解決しようとする課題】
【０００４】
ところで、棚板支持部の前側には、棚板の前部の前方への移動を規制する規制部が形成
されている。これにより、棚板が棚板支持部が前方から落ちないようになっている。従っ
て、棚板の後部の高さ位置を変える際には、棚板の前部をやや引き上げながら前方に引い
て棚板の前部が規制部を乗り越えるようにする作業が必要である。この作業は、ショーケ
ースの前側から行う必要があり、客の邪魔になるという問題があった。
【０００５】
本発明は、上記に鑑みてなされたものであって、ショーケースの後側からの作業のみで
棚板の傾斜角度を変えることのできるショーケースを提供することを目的とする。
【課題を解決するための手段】
【０００６】
上述した課題を解決し、目的を達成するために、本発明に係るショーケースは、後面が
開口したケース本体を備え、前記ケース本体内に、前後方向に延在する左右一対の棚板支
持部材と、後部が上下移動可能に前記棚板支持部材の間に架け渡されている棚板と、前記
棚板の後部及び前記棚板支持部材の間に配設されている角度調整部材と、を備えているシ
ョーケースであって、前記棚板は、第一支持状態と、前記棚板の後部が前記第一支持状態
よりも低い位置となる第二支持状態とに移動可能であり、前記角度調整部材は、前記棚板
及び前記棚板支持部材の何れか一方に配設され、前記棚板に対して回転することによって
第一位置と第二位置とに移動し、前記角度調整部材が、前記第一位置に移動した場合に前
記角度調整部材の棚板当接部が前記棚板の後部に当接することにより前記棚板が前記第一
支持状態に維持され、前記第二位置に移動した場合に前記棚板が前記第二支持状態となる
ことを特徴とする。
【０００７】
また、本発明に係るショーケースにおいて、前記角度調整部材は、前記左右一対の棚板
支持部材と前記棚板との間にそれぞれ設けられ、操作部によって連結されているとよい。
【０００８】
また、本発明に係るショーケースにおいて、第二角度調整部材を備え、前記棚板は、前
記棚板の後部が、前記第一支持状態よりも低く、前記第二支持状態よりも高い位置にある
第三支持状態に移動可能であり、前記第二角度調整部材は、前記棚板か前記棚板支持部材
の何れか一方に配設され、前記棚板に対して回転することによって第三位置と第四位置と
に移動し、前記第二角度調整部材が前記第三位置に移動した場合に前記第二角度調整部材
の棚板当接部が前記棚板の後部に当接することにより前記棚板は前記第三支持状態に維持
され、前記第二角度調整部材が前記第四位置に移動した場合に前記棚板は前記第一支持状
態もしくは前記第二支持状態となるとよい。
【発明の効果】
【０００９】
上述の構成によれば、棚板の後部において、角度調整部材を回転させることにより、棚
板の後部の高さを変えることができ、棚板の傾斜角度を変更することができる。よって、
ショーケースの後側からの作業のみで棚板の傾斜角度を変更できるので、ショーケースの
前側から商品を取り出す客の邪魔をすることを防止することができる。
【図面の簡単な説明】
【００１０】
【図１】図１は、本発明の実施形態に係るショーケースを示した側断面図である。
【図２】図２は、図１に示したショーケースにおける棚板の第一の支持構造の棚板支持部材と第一角度調整部材とを示す斜視図である。
【図３】図３は、図１に示したショーケースにおける棚板の第一の支持構造において棚板が第一支持状態の場合を示した側断面図である。
【図４】図４は、図１に示したショーケースにおける棚板の第一の支持構造において棚板が第二支持状態の場合を示した側断面図である。
【図５】図５は、図１に示したショーケースにおける棚板の第二の支持構造の棚板支持部材と第一角度調整部材と第二の角度調整部材とを示す斜視図である。
【図６】図６は、図１に示したショーケースにおける棚板の第二の支持構造において棚板が第一支持状態の場合を示した側断面図である。
【図７】図７は、図１に示したショーケースにおける棚板の第二の支持構造において棚板が第二支持状態の場合を示した側断面図である。
【図８】図８は、図１に示したショーケースにおける棚板の第二の支持構造において棚板が第三支持状態の場合を示した側断面図である。
【発明を実施するための形態】
【００１１】
以下に添付図面を参照して、本発明に係るショーケースの好適な実施形態の一例につい
て詳細に説明する。図１に示すように、ショーケース１は、ケース本体２を備えている。
ケース本体２は、前面及び後面に開口を有した直方体状の断熱筐体である。ケース本体２
の後側には、ケース本体２の後面開口を塞ぐ背面扉６が設けられている。ケース本体２の
内部には、通風路７と、商品収納室８が備えられている。ショーケース１は、背面扉６を
開けることで、ケース本体２の後面から商品収納室８内に商品を補充できるようになって
いる。尚、図１において、ショーケース１を挟んで右側がショーケース１の前側、左側が
ショーケース１の後側である。
【００１２】
通風路７は、商品収納室８の上側に位置する上側通風路７ａと、下側に位置する下側通
風路７ｂと、を備えている。また、上側通風路７ａと、下側通風路７ｂは、ショーケース
１の後側にある商品準備室１００と連通している。上側通風路７ａには、蒸発器７１が備
えられている。蒸発器７１は、空気を冷却するものである。下側通風路７ｂには、送風機
７２が備えられている。蒸発器７１で冷やされた空気は、上側通風路７ａを通り、図１中
に矢印で示したように、上側通風路７ａの前端部から下側に吹き出し、エアカーテンを形
成し、下側通風路７ｂの前部から下側通風路７ｂ内に入り、下側通風路７ｂを通って、商
品準備室１００内に吹き出す。商品準備室１００内に吹き出した空気は、商品準備室１０
０内を図１中の矢印の方向に流れ、途中、冷却手段１０１によって冷却されて、再び上側
通風路７ａに入り、循環する。このようにして、商品収納室８内の商品が冷却される。
【００１３】
商品収納室８内には、商品収納室８の後部に立設された支柱３と、支柱３から前方に向
けて突設されて前後方向に延在する棚板支持部材４と、棚板支持部材４に支持された棚板
５とが備えられている。棚板５は、上下に複数配設されている。最下段以外の棚板５は、
第一の支持構造Ａで支持され、最下段の棚板５は、第二の支持構造Ｂで支持されている。
【００１４】
先ず、棚板５の第一の支持構造Ａについて図２〜図４に基づいて説明する。棚板５の第
一の支持構造Ａは、左右一対の棚板支持部材４と、その間に架け渡された棚板５と、を備
えている。棚板支持部材４は、棚板支持部材本体１０と、第一調整部材支持部１１と、第
二調整部材支持部１２と、を備えている。
【００１５】
棚板支持部材本体１０は、前後に長い板状に形成されている。棚板支持部材本体１０の
前部は、棚板５を棚板支持部材本体１０に対して回転軸１３を中心軸として回転可能に支
持している。回転軸１３は、棚板支持部材本体１０の側面に対して垂直に延在している。
棚板５は、その前部が前後上下移動不能に棚板支持部材本体１０に軸支されている。一対
の棚板支持部材本体１０間には、板状部材１４が架け渡されて固定されている。棚板支持
部材本体１０の後側からは、複数の係止爪１５が突出している。この係止爪１５は、支柱
３に形成されている図示せぬ係合孔に挿入されて係止され、棚板支持部材４を支柱３に支
持させている。
【００１６】
第一調整部材支持部１１は、棚板支持部材本体１０の側面であって、一対の棚板支持部
材本体１０が向かい合う面から棚板支持部材本体１０の側方に突出するように形成されて
いる。第二調整部材支持部１２は、棚板支持部材本体１０の側面であって、一対の棚板支
持部材本体１０が向かい合う面から棚板支持部材本体１０の側方に突出するように形成さ
れている。第二調整部材支持部１２は、第一調整部材支持部１１よりも後方で下方に配設
されている。
【００１７】
一対の棚板支持部材４の後部には、それぞれ第一角度調整部材（角度調整部材）２０が
棚板支持部材本体１０の側面であって、一対の棚板支持部材本体１０が向かい合う面に備
えられている。第一角度調整部材２０は、第一角度調整部材本体２２と、第一棚板当接部
（棚板当接部）２３と、第二棚板当接部２４と、第一支持部２５と、第二支持部２６と、
を備えている。
【００１８】
第一角度調整部材本体２２は、板状に形成されている。第一棚板当接部２３は、第一角
度調整部材２０が後述する第一状態の際に、棚板５と当接する部分であり、第一角度調整
部材本体２２の一辺を直角に折り曲げた形状に形成されている。第二棚板当接部２４は、
第一角度調整部材２０が後述する第二状態の際に、棚板５と当接する部分であり、第一角
度調整部材本体２２の第一棚板当接部２３と交差する一辺を直角に折り曲げた形状に形成
されている。
【００１９】
第一支持部２５は、第一角度調整部材２０が第一状態の際に、第一調整部材支持部１１
に当接する部分であり、第一角度調整部材本体２２の一部を切り欠いた形状に形成されて
いる。第二支持部２６は、第一角度調整部材２０が第二状態の際に、第二調整部材支持部
１２に当接する部分であり、第二棚板当接部２４と対向するように第一角度調整部材本体
２２の一辺を直角に折り曲げた形状に形成されている。
【００２０】
第一角度調整部材２０は、段付きネジ２１によって、棚板支持部材４に対して第一状態
（第一位置）と、第二状態（第二位置）とに回転可能に棚板支持部材４に支持されている
。第一状態は、棚板５に第一棚板当接部２３が当接した状態であり、第二状態は、第一棚
板当接部２３が棚板５に当接する位置から退避した状態である。また、第二状態は、第二
棚板当接部２４が棚板５に当接した状態である。第一角度調整部材２０は、その回転中心
が、第一調整部材支持部１１よりも後方かつ下方であって、第二調整部材支持部１２より
も前方且つ上方に配設されている。左右一対の第一角度調整部材２０は、操作部３０によ
って連結されている。
【００２１】
棚板５は、矩形板状に形成されている。棚板５の後端部には、棚板５の後端から棚板５
の後方に突出するように棚板操作部５１が形成されている。棚板５は、棚板５の後部が第
一棚板当接部２３に支持される第一支持状態と、第一支持状態よりも棚板５の後部の高さ
が低い位置で第二棚板当接部２４に支持される第二支持状態と、に移動可能である。
【００２２】
棚板５の後部は、棚板５を棚板５の前部を中心として回転させることにより、上下方向
に移動することが可能である。棚板５を図３に示す第一支持状態から図４に示す第二支持
状態に移動させるには、まず、ショーケース１の背面扉６を開け、ショーケース１の後側
から、第一支持状態である棚板５の後部を持ち上げる。そして、操作部３０を持って、第
一角度調整部材２０を第一状態から第二状態に回転させる。その後に、棚板５の後部を下
げて第二棚板当接部２４に支持させ、第二支持状態とすることができる。このように、第
一角度調整部材２０を回転させることにより、棚板５の傾斜角度を変えることができる。
また、第一角度調整部材２０は、ショーケース１の後側から操作することができる。
【００２３】
次いで、棚板５の第二の支持構造Ｂについて図５〜図８に基づいて説明する。第二の支
持構造Ｂは、第一の支持構造Ａにおける第二調整部材支持部１２が無く、代わりに一対の
第二角度調整部材４０と、第三調整部材支持部５０とを設けている。また、第二の支持構
造Ｂでは、第一角度調整部材２０が第二状態の際には、第一角度調整部材２０は、棚板５
を支持しない。また、第二の支持構造Ｂでは、棚板５の第二支持状態では、棚板５の後部
は、棚板支持部材４Ａに支持される状態となる。
【００２４】
棚板支持部材４Ａは、商品収納室８の底面に載置されている。棚板支持部材４Ａは、第
二の支持構造Ｂに含まれるが、前後に長い板状に形成され、棚板支持部材本体１０Ａと第
一調整部材支持部１１と第三調整部材支持部５０とを備えている。
【００２５】
棚板支持部材本体１０Ａは、前後に長い板状に形成されている。棚板支持部材本体１０
Ａの前部は、棚板５を棚板支持部材本体１０Ａに対して回転軸１３を中心軸として回転可
能に支持している。一対の棚板支持部材本体１０Ａ間には、板状部材１４Ａが架け渡され
て固定されている。第一調整部材支持部１１は、棚板支持部材本体１０Ａの側面であって
、一対の棚板支持部材本体１０Ａが向かい合う面から棚板支持部材本体１０Ａの側方に突
出するように形成されている。
【００２６】
第三調整部材支持部５０は、棚板支持部材本体１０Ａの側面であって、一対の棚板支持
部材本体１０Ａが向かい合う面から棚板支持部材本体１０Ａの側方に突出するように形成
されている。棚板支持部材本体１０Ａの側面であって、一対の棚板支持部材本体１０Ａが
向かい合う面には、第二角度調整部材４０が設けられている。
【００２７】
第二角度調整部材４０は、棚板５を支持する支持状態（第三位置）と、棚板５を支持し
ない非支持状態（第四位置）とに回転可能に棚板支持部材４Ａに段付きネジ２１によって
取り付けられている。第二角度調整部材４０は、第一角度調整部材２０よりも後方に設け
られている。第二角度調整部材４０は、その回転中心が、第三調整部材支持部５０よりも
前方に設けられている。第二角度調整部材４０は、第二角度調整部材本体４１と、棚板当
接部４２と、支持部４３と、を備えている。
【００２８】
第二角度調整部材本体４１は、矩形板状に形成されている。棚板当接部４２は、第二角
度調整部材４０が支持状態の際に、棚板５と当接する部分であり、第二角度調整部材本体
４１の一辺を直角に折り曲げた形状に形成されている。棚板当接部４２は、第二角度調整
部材４０が非支持状態の際に、棚板５と当接する位置から退避した状態となる。支持部４
３は、第二角度調整部材４０が支持状態の際に、第三調整部材支持部５０に当接する部分
であり、第二角度調整部材本体４１の棚板当接部４２と交差する一辺を直角に折り曲げた
形状に形成されている。棚板当接部４２と支持部４３とのなす角は、鋭角になっている。
左右一対の第二角度調整部材４０は、操作部４４によって連結されている。
【００２９】
第二の支持構造Ｂにおいては、棚板５を第三支持状態とすることができる。第三支持状
態は、第二角度調整部材４０を支持状態として棚板５を第二角度調整部材４０に支持させ
た状態である。その際、棚板５の後端部は、第一支持状態よりも低く、第二支持状態より
も高い位置となる。
【００３０】
このように形成されている棚板５の第二の支持構造Ｂは、棚板５を棚板５の前側部を中
心として回転させることにより、棚板５の後側部を上下方向に移動することが可能である
。棚板５を図６に示す第一支持状態から図７に示す第二支持状態に移動させるには、まず
、ショーケース１の背面扉６を開け、ショーケース１の後側から、第一支持状態である棚
板５の後部を持ち上げる。そして、操作部３０を持って、第一角度調整部材２０を第一状
態から第二状態に回転させる。その後に、棚板５の後部を下げて棚板支持部材４Ａに支持
させる。このとき、第二角度調整部材４０は、非支持状態である。また、棚板５を図７に
示す第二支持状態から図８に示す第三支持状態に移動させるには、棚板５の後部を持ち上
げ、第二角度調整部材４０を回転させ、棚板５の後部を下げて第二角度調整部材４０に棚
板５を支持させ、支持状態とする。
【００３１】
上述したように、棚板５の後部の高さ位置は、棚板５の後部を持ち上げ、第一角度調整
部材２０及び第二角度調整部材４０を回転させることにより、変えることができる。従っ
て、ショーケース１の後側からの作業のみで棚板５の傾斜角度を変更できる。よって、シ
ョーケース１の前側から商品を取り出す客の邪魔をすることなく、棚板５の傾斜角度を変
更することができる。更に棚板５の上面にローラーマットを取り付けることにより、自動
で商品を前出しできる機能を追加することができる。また、操作部３０、及び操作部４４
を操作することにより、第一角度調整部材２０及び第二角度調整部材４０をワンタッチで
回転させることができる。
【００３２】
尚、本実施の形態においては、第二棚板当接部２４は、第一角度調整部材２０に形成さ
れているが、棚板支持部材４、或いは支柱３に形成されていてもよい。本実施の形態にお
いては、第一角度調整部材２０は、棚板支持部材４に軸支されているが、棚板５に軸支さ
れていてもよいし、支柱３に軸支されていてもよい。同様に、第二角度調整部材４０は、
棚板支持部材４Ａに軸支されているが、棚板５に軸支されていてもよいし、支柱３に軸支
されていてもよい。本実施の形態においては、一対の第一角度調整部材２０間に、操作部
３０が架け渡されているが、操作部３０は無くても良い。同様に、操作部４４も無くとも
良い。
【符号の説明】
【００３３】
１    ショーケース
２    ケース本体
４    棚板支持部材
５    棚板
２０    第一角度調整部材
２３    第一棚板当接部
４０    第二角度調整部材
４２    棚板当接部
【図１】
2019000388.tif 000003
【図２】
2019000388.tif 000004
【図３】
2019000388.tif 000005
【図４】
2019000388.tif 000006
【図５】
2019000388.tif 000007
【図６】
2019000388.tif 000008
【図７】
2019000388.tif 000009
【図８】
2019000388.tif 000010